(57)【要約】【課題】ランプを覆い略円形の開口部と頂上部とを有する逆碗状の反射板において、複数の辺を有しその辺の端と端とを円弧で結んだ配光を得ることができる反射板、及び、これを備えた照明器具を提供すること。【解決手段】ランプ２を覆い略円形の開口を有する開口部１Ｊと頂上部１Ｋとを有する略逆碗状の反射板１において、ランプ２からの光を反射する突状反射小帯部１ａを開口部１Ｊの所定の点から放射状に反射板１の内面に多数本形成し、突状反射小帯部１ａの長手方向と直交する断面形状を略円弧状に反射板１の内側へ凸曲する凸曲面１ａａとするとともに、この凸曲面１ａａの湾曲を所定の点Ｘから遠ざかるに従って大きくしたことを特徴とする反射板。【選択図】        図１
2004342506.tif 000002
【特許請求の範囲】
【請求項１】
ランプを覆い略円形の開口を有する開口部と頂上部とを有する略逆碗状の反射板において、ランプからの光を反射する突状反射小帯部を前記開口部の所定の点から放射状に反射板の内面に多数本形成し、前記突状反射小帯部の長手方向と直交する断面形状を略円弧状に反射板の内側へ凸曲する凸曲面とするとともに、この凸曲面の湾曲を前記所定の点から遠ざかるに従って大きくしたことを特徴とする反射板。
【請求項２】
前記所定の点より放射状に設けられた突状反射小帯部は、前記所定の点と反射板の開口部で対向する対向点に向けて反射板の内面に形成されたものであることを特徴とする請求項１記載の反射板。
【請求項３】
前記所定の点を複数設け、この所定の点から放射状に形成された多数の突状反射小帯部を各々の所定の点から反射板の開口部で対向する対向点に向けて設けたことを特徴とする請求項２記載の反射板。
【請求項４】
前記所定の点を前記開口部に略等間隔で複数設けたことを特徴とする請求項３記載の反射板。
【請求項５】
請求項１乃至４記載の反射板を備えたことを特徴とする照明器具。
【請求項６】
請求項１乃至４記載の反射板を備えるとともに、フィラメントが発光部となるランプを反射板の高位中程に配置したことを特徴とする照明器具。
【発明の詳細な説明】
【０００１】
【発明の属する技術分野】
本発明は、ランプを覆い略円形の開口部と頂上部とを有する逆碗状の反射板及びこの反射板を備えた照明器具に関する。
【０００２】
【従来の技術】
この種の反射板としては、特開平５−０３４５１１号公報に開示されたものがある。図９は、これに開示された反射板の図で、図９（ａ）は、断面図、図９（ｂ）はその一部を示した下面図、図１０は反射板の配光のパターンを示した図である。このものは、ランプを覆い略円形の開口部と頂上部とを有する逆碗状の反射板１において、反射板１の内面に形成された反射面２０の略全域に一定方向に略平行な突状反射小帯部３０を多数形成するとともに、突状反射小帯部３０の反射面が、突状反射小帯部３０の長さ方向に対して直交する方向の断面形状を円弧状に突曲する突曲円弧面４０に形成したものである。
【０００３】
このように構成された反射板１は、略平行となった多数本の突状反射小帯部３０の突曲円弧面４０による反射によって、その配光パターンＰは図１０に示すように突状反射小帯部３０の長さ方向とは略直交する方向を楕円の長い軸をなす楕円配光を得ることができるものとなる。さらに、この反射板は、その一部にペイントなどを儲け反射率を落して楕円配光を得るものではないので、その反射効率も良いものとすることができる。
【０００４】
【特許文献１】
特開平５−０３４５１１号公報
【０００５】
【発明が解決しようとする課題】
ところが、上記した反射板１は、楕円配光を得るものとしては有用であったが、三角形や方形など、辺を有する配光を得ることができるものではなかった。
【０００６】
本発明は、上記事由に鑑みてなしたもので、その目的とするところは、ランプを覆い略円形の開口部と頂上部とを有する逆碗状の反射板において、複数の辺を有しその辺の端と端とを円弧で結んだ配光を得ることができる反射板、及び、これを備えた照明器具を提供することにある。
【０００７】
【課題を解決するための手段】
請求項１に係る発明の反射板は、ランプを覆い略円形の開口を有する開口部と頂上部とを有する略逆碗状の反射板において、ランプからの光を反射する突状反射小帯部を前記開口部の所定の点から放射状に反射板の内面に多数本形成し、前記突状反射小帯部の長手方向と直交する断面形状を略円弧状に反射板の内側へ凸曲する凸曲面とするとともに、この凸曲面の湾曲を前記所定の点から遠ざかるに従って大きくしたことを特徴とする。
【０００８】
請求項２に係る発明の反射板は、請求項１において、前記所定の点より放射状に設けられた突状反射小帯部は、前記所定の点と反射板の開口部で対向する対向点に向けて反射板の内面に形成されたものであることを特徴とする。
【０００９】
請求項３に係る発明の反射板は、請求項２において、前記所定の点を複数設け、この所定の点から放射状に形成された多数の突状反射小帯部を各々の所定の点から反射板の開口部で対向する対向点に向けて設けたことを特徴とする。
【００１０】
請求項４に係る発明の反射板は、請求項３において、前記所定の点を前記開口部に略等間隔で複数設けたことを特徴とする。
【００１１】
請求項５に係る発明の照明器具は、請求項１乃至４記載の反射板を備えたことを特徴とする。
【００１２】
請求項６に係る発明の照明器具は、請求項１乃至４記載の反射板反射板を備えるとともに、フィラメントが発光部となるランプを反射板の高位中程に配置したことを特徴とする。
【００１３】
【発明の実施の形態】
（第１の実施の形態）
本発明の第１の実施の形態を図１〜図４を用いて説明する。図１は照明器具を示す図で、図１（ａ）は一部を切り欠いた正面図、図１（ｂ）は下面図である。図２は、反射板を示す図で図１（ａ）のＡで示した箇所を拡大した断面図、図３は開口部側より反射板を目視したときの斜視図、図４はこのものにおける配光を示す図である。
【００１４】
この照明器具は、ランプ２と、ランプ２を覆いランプ２の軸Ｚ−Ｚ´に直交する切断面が略円形をなす略逆碗状の反射板１と、を備えて構成されている。
【００１５】
反射板１は、下方に略円形の開口を有する開口部１Ｊを上方には頂上部１Ｋを有したものであり、その内面には、開口部１Ｊの所定の点Ｘから扇の骨のように伸びる突状反射小帯部１ａが形成されている。詳しくは、突状反射小帯部１ａは、所定の点Ｘより、所定の点Ｘと反射板１の開口部１Ｊで対向する対向点Ｘ´に向けて形成されたものであり、ここでは、所定の点Ｘと対向点Ｘ´の間に反射板の内面に沿って弓状に設けられている。そして、この弓状をなした突状反射小帯部１ａは、開口部１Ｊの所定の点Ｘを始点として、放射状に反射板１の内面に連続的に多数本形成されている。
【００１６】
さらに突状反射小帯部１ａの長手向と直交する断面形状は、略円弧状に反射板１の内側へ凸曲する凸曲面１ａａとなっており、この凸曲面１ａａの湾曲は、所定の点Ｘから遠ざかるに従って大きくなっている。ここで凸曲面１ａａの湾曲が大きいとは、円弧状に反射板１の内側へ凸曲する凸曲面１ａａの円弧の半径をＲとした場合において、このＲが小さくなることを意味する。
【００１７】
従って、凸曲面１ａａの湾曲は、所定の点Ｘに近い所に位置する凸曲面１ａａを描くための半径Ｒ１とし、所定の点Ｘから遠い所に位置する凸曲面１ａａを描くための半径Ｒ２とした場合、その関係は、Ｒ１＞Ｒ２となっている。そして、この凸曲面１ａａは、図１（ｂ）における０−Ｐ断面に達した所で湾曲が最大、すなわちこれを描くための半径Ｒが最も小さいものとなっており、これを図２や図３においては、１ａａｍａｘとして示している。なお、最も湾曲が大きい凸曲面１ａａｍａｘは、それが属する突状反射小帯部１ａの中で、最も湾曲が大きい凸曲面となっている。
【００１８】
一方、図３における所定の点Ｘ付近の凸曲面１ａａｍｉｎは、最も湾曲が小さいもの、すなわちこれを描くための半径Ｒが最も大きいものとなっている。
【００１９】
なお、図１（ｂ）に示した反射板１においては、０−Ｐ断面より上側に示された突状反射小帯部１ａの所定の点は、Ｘ´であり、この点より対向点Ｘに向けて突状反射小帯部１ａが設けられている。そして、０−Ｐ断面より下側からＸ´に向かって伸びる突状反射小帯部１ａと、０−Ｐ断面より上側からＸに向かって伸びる突状反射小帯部１ａと、が０−Ｐ断面で連続するように形成されている。
【００２０】
ランプ２は、フィラメントが発光部となる電球タイプのランプ２であり、反射板１の高位中程に反射板１と同軸上に配置されている。
【００２１】
このように構成された照明器具を点灯させると、ランプ２から放たれた光は、突状反射小帯部１ａにより拡散される。ここで、ランプ２から放たれた光は、突状反射小帯部１ａに形成された凸曲面１ａａの湾曲が大きな箇所ほど光が拡散され、これに反射された光は遠くまで届くものとなる。
【００２２】
ここで凸曲面１ａａの湾曲は、０−Ｐ断面に近づくほどに、凸曲面１ａａの湾曲が大きくなっているので、ランプ２から放たれた光は、０−Ｐ断面方向のものほど遠くまで届くものとなる。
【００２３】
一方、ランプ２から所定の点Ｘ（Ｘ´）に向けて放たれた光は、凸曲面１ａａの湾曲が小さいものとなるので、凸曲面１ａａの影響をあまり受けず、従って、凸曲面１ａａがない反射面、つまり通常の円形反射板の光と同じ範囲程度でしか光が届かないものとなる。
【００２４】
このようにして反射板１に形成された全ての突状反射小帯部１ａや凸曲面１ａａによりランプ２からの光が反射されると、その配光は、図４に示すような平行な２辺を有しその辺の端と端とを円弧で結んだものとなる。ここで、ランプ２より所定の点Ｘ（Ｘ´）方向に放たれた光が平行な２辺を形成し、０−Ｐ断面方向に放たれた光が円弧を形成しているものとなっている。
【００２５】
なお、このときランプ２は、ガラス管が透明なものでフィラメントの大きさが小さいものほどランプ２から放たれる光が点光源に近いものとなるので、その配光設計が行い易いものとなる。また、ランプ２の位置は、反射板１の高位中程に反射板１と同軸上に配置されているので、その配光がより広がりやすいものとなるとともに反射効率のよいものとなる。
【００２６】
この実施の形態によると、ランプ２からの光を反射する突状反射小帯部１ａを開口部１Ｊの所定の点Ｘから放射状に反射板１の内面に多数本形成し、突状反射小帯部１ａの長手方向と直交する断面形状を略円弧状に反射板の内側へ凸曲する凸曲面１ａａとするとともに、この凸曲面１ａａの湾曲を所定の点Ｘから遠ざかるに従って大きくしたことにより、ランプ２より所定の点Ｘ（Ｘ´）方向に放たれた光はあまり広がらず、所定の点Ｘ（Ｘ´）から離れた方向に放たれた光ほど凸曲面１ａａにより拡散度合いが大きくなるのでその広がりが大きくなるので、ランプ２より所定の点Ｘ（Ｘ´）方向に放たれた光が辺を形成し、これより離れた方向に放たれた光が円弧を形成する、複数の辺を有しその辺の端と端とを円弧で結んだ配光を得ることができるものとなる。
【００２７】
また、フィラメントが発光部となるランプ２を反射板１の高位中程に配置したことにより、点光源が反射板１の上側にあると想定できるので、その配光がより広がりやすいものとなるとともに反射効率のよいものとなる。
【００２８】
（第２の実施の形態）
本発明の第２の実施の形態を図５、図６を用いて説明する。図５は照明器具の下面図、図６はこのものにおける配光を示す図である。このものは、第１の実施の形態における所定の点を開口部１Ｊに略等間隔で３箇所設けたもので、これにともなって反射板１の内面に形成された多数本の突状反射小帯部１ａの形状を変えたものである。なお、その他、図示されていない反射板１の外観やランプ２の取付け位置などについては、第１の実施の形態において説明したものと同じである。
【００２９】
図５においてＸ１、Ｘ２、Ｘ３は、突状反射小帯部１ａの始点となる所定の点であり、Ｘ１、Ｘ２、Ｘ３を結ぶと正三角形が描かれるような位置関係に設けられている。Ｘ１´、Ｘ２´、Ｘ３´は、各々の所定の点からに対して反射板１の開口部１Ｊで対向する対向点である。そして、突状反射小帯部１ａは、開口部１Ｊの所定の点を始点として、Ｘ１からは対向点Ｘ１´に向かうように、Ｘ２からは対向点Ｘ２´に向かうように、Ｘ３からは対向点Ｘ３´に向かうように、各々の所定の点から放射状に反射板１の内面に弓状に多数本形成されている。
【００３０】
ここで、各々の所定の点Ｘ１、Ｘ２、Ｘ３を始点として形成された突状反射小帯部１ａは、０−Ｐ１、０−Ｐ２、０−Ｐ３の各々の断面にて、別の所定の点を始点として形成された突状反射小帯部１ａと連続するように設けられている。
【００３１】
また、突状反射小帯部１ａの長手向と直交する断面形状は、略円弧状に反射板１の内側へ凸曲する凸曲面１ａａとなっており、この凸曲面１ａａの湾曲は、所定の点Ｘから遠ざかるに従って大きくなっており、図５では、０−Ｐ１、０−Ｐ２、０−Ｐ３の各々の断面にて凸曲面１ａａの湾曲が最大になっている。
【００３２】
この実施の形態によると、ランプ２より所定の点Ｘ１、Ｘ２、Ｘ３方向に放たれた光が三角形の辺を形成し、これより離れた方向すなわち、Ｘ１´、Ｘ２´、Ｘ３´に放たれた光が三角形の角の部分であって丸みのあるものとなる。なお、別の表現を行なうと、３つの辺を有しその辺の端と端とを円弧で結んだ配光を得ることができるものとなる。
【００３３】
次に、第２の実施の形態の応用例を説明する。図７は照明器具を示す図で、図７（ａ）は一部を切り欠いた正面図、図７（ｂ）は下面図である。図８はこのものにおける配光を示す図である。
【００３４】
このものは、第２の実施の形態における所定の点を開口部１Ｊに略等間隔で４箇所設けたもので、これにともなって反射板１の内面に形成された多数本の突状反射小帯部１ａの形状を変えたものである。
【００３５】
この応用例によると、ランプ２より所定の点Ｘ１、Ｘ２、Ｘ３、Ｘ４方向に放たれた光が正角形の辺を形成し、これより離れた方向すなわち、Ｘ１´、Ｘ２´、Ｘ３´、Ｘ４´に放たれた光が正角形の角の部分であって丸みのあるものとなる。なお、別の表現を行なうと、４つの辺を有しその辺の端と端とを円弧で結んだ配光を得ることができるものとなる。
【００３６】
なお、各実施の形態における、凸曲面１ａａの湾曲については、所定の点から遠ざかるに従って大きくしているが、これは、傾向として大きくなっていればよいものであり、凸曲面１ａａの湾曲が配光にあまり影響を及ぼさない程度に一時的に小さくなっている所があったとしても特にさしつかえない。
【００３７】
また、所定の点を始点とする突状反射小帯部１ａについては、所定の点付近においては、凸曲面１ａａの湾曲がないものでもかまわない。
【００３８】
【発明の効果】
請求項１記載の発明にあっては、ランプより所定の点方向に放たれた光は、そこに形成された突状反射小帯部の凸曲面の湾曲が小さいので光はあまり広がらず、これに対し所定の点から離れた方向に放たれた光は、突状反射小帯部の凸曲面が大きいので凸曲面での拡散度合いが大きくなり、その広がりが大きくなる。よってランプより所定の点方向に放たれた光が辺を形成し、これより離れた方向に放たれた光が円弧を形成する、複数の辺を有しその辺の端と端とを円弧で結んだ配光を得ることができるものとなる。
【００３９】
請求項２記載の発明にあっては、請求項１に記載した効果を奏するうえに、平行な２辺を有しその辺の端と端とを円弧で結んだものとなる。。
【００４０】
請求項３記載の発明にあっては、請求項１に記載した効果を奏するうえに、複数の辺を有しその辺の端と端とを円弧で結んだ配光を得ることができるものとなる。
【００４１】
請求項４記載の発明にあっては、請求項３に記載した効果を奏するうえに、複数の辺が同じ長さを有し、その辺の端と端とを同じ円弧で結んだ配光を得ることができるものとなる。
【００４２】
請求項５記載の発明にあっては、請求項１乃至４に記載したものと同じ効果を奏する。
【００４３】
請求項６記載の発明にあっては、請求項１乃至４に記載した効果を奏するうえに、配光がより広がりやすいものとなるとともに反射効率のよいものとなる。
【図面の簡単な説明】
【図１】本発明の第１の実施の形態に係る照明器具を示す図で、図１（ａ）は一部を切り欠いた正面図、図１（ｂ）は下面図である。
【図２】同上の照明器具の反射板を示す図で、図１（ａ）のＡで示した箇所を拡大した断面図である。
【図３】同上の照明器具の反射板を開口部側より目視したときの斜視図である。
【図４】同上の照明器具の配光を示す図である。
【図５】本発明の第２の実施の形態に係る照明器具の下面図である。
【図６】同上の照明器具の配光を示す図である。
【図７】同上の照明器具の応用例を示す図で、図７（ａ）は一部を切り欠いた正面図、図７（ｂ）は下面図である。
【図８】同上の照明器具の配光を示す図である。
【図９】従来例に係る照明器具の反射板を示す図で、図９（ａ）は、断面図、図９（ｂ）はその一部を示した下面図である。
【図１０】同上の照明器具の反射板の配光のパターンを示した図である。
【符号の説明】
１        反射板
１ａ      突状反射小帯部
１Ｊ      開口部
１Ｋ      頂上部
１ａａ    凸曲面
２        ランプ
Ｘ、Ｘ１、Ｘ２、Ｘ３、Ｘ４  所定の点
Ｘ´、Ｘ１´、Ｘ２´、Ｘ３´、Ｘ４´  対向点
Ｚ―Ｚ´  ランプの軸
【図１】
2004342506.tif 000003
【図２】
2004342506.tif 000004
【図３】
2004342506.tif 000005
【図４】
2004342506.tif 000006
【図５】
2004342506.tif 000007
【図６】
2004342506.tif 000008
【図７】
2004342506.tif 000009
【図８】
2004342506.tif 000010
【図９】
2004342506.tif 000011
【図１０】
2004342506.tif 000012